(57)【要約】【課題】空気吸込口の配置に関わらず集塵フィルタを通過する風量の偏りを防いで、集塵フィルタ全面を有効に利用することで集塵フィルタの集塵能力を十分に発揮させる空気清浄機を提供する。【解決手段】流路分割板２６は、吸入路１０ａに配置される。流路分割板２６には空気導入孔２６ａが設けられており、空気清浄機１を前面から見たときに、第１電気集塵機２２ａの集塵口２２ａａの中央部および第２電気集塵機２２ｂの集塵口２２ｂａの中央部が見えるように、位置および形状が定められている。吸入路１０ａは流路分割板２６によって、各空気吸込口１３ａ〜１３ｄから吸入路１０ａに流入した空気を集塵口２２ａａや集塵口２２ｂａの外周部に導く第１吸入路１０ａ１と、各空気吸込口１３ａ〜１３ｄから吸入路１０ａに流入した空気を空気導入孔２６ａを介して集塵口２２ａａや集塵口２２ｂａの中央部に導く第２吸入路１０ａ２に分割される。【選択図】図３
2016217666.tif 000002
【特許請求の範囲】
【請求項１】
筐体内に空気を取り込む空気吸込口と前記筐体内から外部へ空気を放出する空気吹出口とを有し、
前記筐体内に、前記空気吸込口と前記空気吹出口とを連通させる通風路を有し、
前記通風路に、取り込んだ空気を除塵する集塵ユニットと送風機を有し、前記通風路における空気の上流側から下流側へ向かって前記集塵ユニット、前記送風機の順に配置されている空気清浄機であって、
前記通風路のうち、前記空気吸込口と前記集塵ユニットの間の空間を、前記空気吸込口から前記筐体内に取り込んだ空気を前記集塵ユニットに導く吸入路としたとき、
前記吸入路には、前記集塵ユニットから所定の距離をおいて流路分割板が配置され、
前記流路分割板によって前記吸入路を分割することで、前記集塵ユニットにおける風量分布を調整する、
ことを特徴とする空気清浄機。
【請求項２】
前記吸入路は、前記流路分割手段によって第１吸入路と第２吸入路に分割され、
前記空気吸込口から取り込んだ空気は、前記第１吸入路と前記第２吸入路に分流した後、前記第１吸入路および前記第２吸入路の各々から前記集塵ユニットに流入する、
ことを特徴とする請求項１乃至請求項３に記載の空気清浄機。
【請求項３】
前記筐体は、少なくとも前面と、背面と、上面と、底面と、左側面と、右側面を有し、
前記空気吸込口は、前記筐体の上面、底面、左側面、および右側面のうち少なくとも１面の前面側あるいは背面側に設けられている、
ことを特徴とする請求項１に記載の空気清浄機。
【請求項４】
前記筐体は、少なくとも前面と、背面と、上面と、底面と、左側面と、右側面を有し、
前記空気吸込口は、前記筐体の前面あるいは背面のうち少なくとも１面の外縁部に設けられている、
ことを特徴とする請求項１に記載の空気清浄機。
【請求項５】
前記流路分割手段は空気導入孔を有し、
前記集塵ユニットにおいて多くの空気を流入させたい箇所に対応して、前記空気導入孔の位置および形状が決定されている、
ことを特徴とする請求項１乃至請求項４に記載の空気清浄機。
【請求項６】
前記集塵ユニットは電気集塵機であり、
前記空気導入孔は、前記電気集塵機の中央部に多くの空気を流入させるよう、前記空気導入孔の位置および形状が決定されている、
請求項１乃至請求項５に記載の空気清浄機。
【発明の詳細な説明】
【技術分野】
【０００１】
本発明は、筐体内部に取り込んだ空気を浄化して部屋に放出する空気清浄機に関する。
【背景技術】
【０００２】
空気清浄機は、筐体内部に設けられた送風機の駆動によって筐体内部に吸い込んだ空気に含まれる塵埃を捕集する集塵フィルタを有する（例えば、特許文献１参照）。特許文献１に記載されているのは、加湿機能付きの空気清浄機であり、本体筐体に空気吸込口と空気吹出口とこれら空気吸込口と空気吹出口を連通する通風路を備えている。通風路には、上流側（空気吸込口側）から集塵フィルタ、空気を加湿する加湿フィルタ、送風機が順に配置されている。
【０００３】
上述した空気清浄機は、筐体前面の前方に前面化粧板を有している。この前面化粧板は、筐体前面に取り付けられており、筐体前面と前面化粧板の間つまり筐体の上下面および左右側面の前方に形成される隙間が空気吸込口とされている。また、集塵フィルタは縦長箱形状に形成され、通風路において筐体を構成する前面化粧板に対向する位置に配置されている。この空気清浄機が運転を開始すると、送風機の回転により空気吸込口から通風路に吸い込まれた空気が集塵フィルタを通過する際に除塵され、その後加湿フィルタを通過する際に加湿されて空気吹出口から部屋に吹き出される。
【先行技術文献】
【特許文献】
【０００４】
【特許文献１】特開２０１１−１７９８００号公報
【発明の概要】
【発明が解決しようとする課題】
【０００５】
特許文献１に記載の空気清浄機は、前述したように、空気吸込口が筐体を構成する前面化粧板の周縁部に設けられており、また、集塵フィルタは通風路内において前面化粧板に対向する位置に配置されている。このように筐体を構成する面（以下、構成面と記載）のうち少なくとも１つの構成面の周縁部に空気吸込口を設け、この面に対向する位置に集塵フィルタを配置した空気清浄機では、各空気吸込口から通風路に吸い込まれた空気は、集塵フィルタの前面と略平行に流れ込んだのち集塵フィルタに流入する。このように空気吸込口に近い集塵フィルタの外周部に空気が多く流れるので、集塵フィルタの外周部に流入する空気の量（以下、風量と記載）が中央部に流入する風量より多くなる、つまり、集塵フィルタを通過する風量に偏りが発生して集塵フィルタ全面を有効に活用できずに集塵効率が低下している恐れがあった。
【０００６】
特に、集塵フィルタが放電電極で塵埃を帯電させ集塵電極で帯電した塵埃を捕捉する電気集塵機である場合、電気集塵機の中央部より外周部の方が集塵量が少ないという特性を持つことから、電気集塵機を通過する空気が電気集塵機の外周部に集中して中央部の風量が低下すると、中央部における集塵量が減少して電気集塵機の集塵効率が大きく低下する恐れがあった。
【０００７】
本発明は以上述べた問題点を解決し、空気吸込口の配置に関わらず集塵フィルタを通過する風量の偏りを防いで、集塵フィルタ全面を有効に利用することで集塵フィルタの集塵能力を十分に発揮させる空気清浄機を提供することを目的とする。
【課題を解決するための手段】
【０００８】
本発明は上述の課題を解決するものであって、本発明の空気清浄機は、筐体内に空気を取り込む空気吸込口と筐体内から外部へ空気を放出する空気吹出口とを有し、筐体内に、空気吸込口と空気吹出口とを連通させる通風路を有し、通風路に、取り込んだ空気を除塵する集塵ユニットと送風機を有し、通風路における空気の上流側から下流側へ向かって集塵ユニット、送風機の順に配置されているものである。そして、通風路のうち、空気吸込口と集塵ユニットの間の空間を、空気吸込口から筐体内に取り込んだ空気を集塵ユニットに導く吸入路としたとき、吸入路には集塵ユニットから所定の距離をおいて流路分割板が配置され、流路分割板によって吸入路を分割することで集塵ユニットにおける風量分布を調整するものである。
【発明の効果】
【０００９】
本発明の空気清浄機は、流路分割手段により集塵ユニットにおける風量分布を調整する。これにより、集塵フィルタの外周部に空気が集中することを防止できるので、空気吸込口の配置に関わらず集塵フィルタの集塵能力を十分に発揮させることができる。
【図面の簡単な説明】
【００１０】
【図１】本発明の実施形態における、空気清浄機の外観斜視図である。
【図２】本発明の実施形態における、空気清浄機の上面図である。
【図３】図１におけるＸ−Ｘ断面図である。
【図４】図１におけるＹ−Ｙ断面図である。
【図５】本発明の実施形態における、流路分割板を装着する前の空気清浄機の要部斜視図である。
【図６】本発明の実施形態における、流路分割板を装着した空気清浄機の要部前面図である。
【図７】電気集塵機の集塵口のける風量分布を説明する図面であり、（Ａ）は吸入路に流路分割板を設けない場合の風速分布図を、（Ｂ）は吸入路に流路分割板を設けた場合の風速分布図である。
【図８】流路分割板の他の実施形態を説明する図面である。
【図９】本発明の第２の実施形態における、空気清浄機の概略図であり、（Ａ）は外観斜視図、（Ｂ）は（Ａ）におけるＺ−Ｚ断面図である。
【発明を実施するための形態】
【００１１】
以下、本発明の実施の形態を、添付図面に基づいて詳細に説明する。尚、本発明は以下の実施形態に限定されることはなく、本発明の主旨を逸脱しない範囲で種々変形することが可能である。
【実施例１】
【００１２】
図１および図２に示すように、本発明の一実施形態である空気清浄機１は、各々合成樹脂材で形成された天面パネル１１ａ、右側面パネル１１ｂ、左側面パネル１１ｃ、底部１１ｄ、前面パネル１２、フロントパネル１３およびリアパネル１４で略直方体状に形成された本発明の空気調和装置１の筐体である本体部１１を有する。天面パネル１１ａと前面パネル１２の上端部１２ａとフロントパネル１３の上端部１３ｅとリアパネル１４の上端部１４ｅで形成される面が本体部１１の上面である。右側面パネル１１ｂと前面パネル１２の右側端部１２ｂとフロントパネル１３の右側端部１３ｆとリアパネル１４の右側端部１４ｆとで形成される面が本体部１１の右側面である。左側面パネル１１ｃと前面パネル１２の左側端部１２ｃとフロントパネル１３の左側端部１３ｇとリアパネル１４の左側端部１４ｇとで形成される面が本体部１１の左側面である。底部１１ｄとフロントパネル１３の下端部１３ｈとリアパネル１４の下端部１４ｈとで形成される面が本体部１１の底面である。
尚、以降の説明において、必要に応じ本体部１１の前面パネル１２側を前面側、本体部１１のリアパネル１４側を背面側、本体部１１の右側面パネル１１ｂ側を右側、本体部１１の左側面パネル１１ｃ側を左側と称する。
【００１３】
フロントパネル１３は前面パネル１２の前方に配置される。フロントパネル１３と前面パネル１２との間には、上下／左右に４カ所の隙間が形成される。本体部１１の上面の前方に形成される隙間が上面吸込口１３ａ、本体部１１の右側面の前方に形成される隙間が右側面吸込口１３ｂ、本体部１１の左側面の前方に形成される隙間が左側面吸込口１３ｃ、本体部１１の底面の前方に形成される隙間が底面吸込口１３ｄとされる。これら上面吸込口１３ａ、右側面吸込口１３ｂ、左側面吸込口１３ｃ、底面吸込口１３ｄが本発明の空気吸込口である。
【００１４】
また、本体部１１とリアパネル１４との間には、上／左右に３か所の隙間が形成される。本体部１１の上面の後方に形成される隙間が上面吹出口１４ａ、本体部１１の右側面の後方に形成される隙間が右側面吹出口１４ｂ、本体部１１の左側面の後方に形成される隙間が左側面吹出口１４ｃとされる。これら上面吹出口１４ａ、右側面吹出口１４ｂ、左側面吹出口１４ｃが本発明の空気吹出口である。
【００１５】
空気清浄機１では、上面吸込口１３ａ、右側面吸込口１３ｂ、左側面吸込口１３ｃ、および底面吸込口１３ｄから本体部１１に吸い込んだ空気を、上面吹出口１４ａ、右側面吹出口１４ｂ、および左側面吹出口１４ｃから部屋に吹き出す間に、空気の除塵・加湿および脱臭が行われる。
【００１６】
図３および図４に示すように、上面吸込口１３ａ、右側面吸込口１３ｂ、左側面吸込口１３ｃ、および底面吸込口１３ｄと、上面吹出口１４ａ、右側面吹出口１４ｂ、および左側面吹出口１４ｃとを連通する本体部１１内部の空間が、本発明の空気清浄機１における通風路１０である。そして、通風路１０のうち、前面パネル１２およびフロントパネル１３と後述する支持部材である仕切板１６で形成される空間が、各空気吸込口１３ａ〜１３ｄから流入した空気を後述する集塵ユニット２２に導く吸入路１０ａである。尚、以下の説明では、必要に応じて通風路１０における各空気吸込口１３ａ〜１３ｄ側を上流側、各空気吹出口１４ａ〜１４ｃ側を下流側として説明する。
【００１７】
空気清浄機１の本体部１１の上面には、上面吸込口１３ａの一部を覆うように操作部１５が設けられている。操作部１５は、電源ボタンや運転モード切り換えボタン等の空気清浄機１を操作するボタンが配置されるとともに、空気清浄機１の運転状態や図示しない塵埃センサ等の検出器における検出結果を表示する表示部が配置されている。
【００１８】
図３に示すように、空気清浄機１の本体部１１内部の通風路１０には、上流側から下流側に向かって順に、プレフィルタ２１、集塵ユニット２２、脱臭ユニット２３、加湿ユニット２４、送風機２５が配置されている。そして、吸入路１０ａにおけるプレフィルタ２１と集塵ユニット２２の間には、吸入路１０ａを後述する第１吸入路１０ａ１と第２吸入路１０ａ２に分割する流路分割手段である流路分割板２６が配置されている。尚、流路分割板２６は、プレフィルタ２１より前方つまりフロントパネル１３とプレフィルタ２１の間に配置してもよい。
【００１９】
プレフィルタ２１は、例えば糸状のＰＥＴ材を編みこんで網目構造としたものである。図４に示すように、プレフィルタ２１は吸入路１０ａに配置され、各空気吸込口１３ａ〜１３ｄから本体部１１内部に吸い込まれる空気に含まれる塵埃を捕捉する。
【００２０】
図３および図５に示すように、集塵ユニット２２は、第１電気集塵機２２ａと第２電気集塵機２２ｂとで構成されている。第１電気集塵機２２ａと第２電気集塵機２２ｂは、通風路１０におけるプレフィルタ２１と脱臭ユニット２３の間に配置される仕切板１６に上下方向に並べて配置されている。第１電気集塵機２２ａおよび第２電気集塵機２２ｂは、各々が合成樹脂材で箱型に形成された筐体を有し、各々の筐体内部には、図示しない放電電極と集塵電極が設けられている。また、第１電気集塵機２２ａおよび第２電気集塵機２２ｂは、各々の筐体前面（通風路１０の上流側に臨む面）に集塵口２２ａａおよび集塵口２２ｂａを備えている。第１電気集塵機２２ａおよび第２電気集塵機２２ｂは、プレフィルタ２１で除去できなかった細かな塵埃や花粉等を、放電電極によるコロナ放電により発生させたイオンによって帯電させ、帯電した塵埃や花粉等を集塵電極で捕捉する。
尚、図５においては、集塵ユニット２２（第１電気集塵機２２ａおよび第２電気集塵機２２ｂ）が視認しやすいように、フロントパネル１３およびプレフィルタ２１の描画を省略している。
【００２１】
図３および図４に示すように、脱臭ユニット２３は、脱臭フィルタ２３ａと加熱部２３ｆを有する。脱臭フィルタ２３ａは、例えば、平板材と波形に連続屈曲した屈曲材とを交互に積層してなる波形構造やハニカム構造のような多孔構造の基材を円板形状に形成してなり、図示は省略するが基材に臭気成分を吸着して分解する触媒層を設けたものである。加熱部２３ｆは、ＰＴＣヒータ２３ｂと、２枚の放熱板２３ｃと、２個の断熱材２３ｄと、２個のケース２３ｅとで構成される。ＰＴＣヒータ２３ｂは、２枚の放熱板２３ｃのうち前面側に配置された放熱板２３ｃに取り付けられて、２枚の放熱板２３ｃを加熱する。２枚の放熱板２３ｃは、各々が略三角形状に形成された金属板であり、脱臭フィルタ２３ａの一部を覆うように配置される。２枚の放熱板２３ｃは、脱臭フィルタ２３ａの中央部に位置する箇所や脱臭フィルタ２３ａの外径側で接触するように構成されているので、ＰＴＣヒータ２３ｂにより前面側に配置された放熱板２３ｃだけではなく、背面側の放熱板２３ｃも加熱される。断熱材２３ｄは、ＰＴＣヒータ２３ｂや放熱板２３ｃを覆うように配置されてＰＴＣヒータ２３ｂや放熱板２３ｃからの熱が外部に逃げることを抑制する。ケース２３ｅは、ＰＴＣヒータ２３ｂや放熱板２３ｃや断熱材２３ｄを保持できる形状に形成されている。
【００２２】
脱臭フィルタ２３ａの脱臭能力を再生するときは、ＰＴＣヒータ２３ｂにより２枚の放熱板２３ｃを加熱し、２枚の放熱板２３ｃにより覆われた脱臭フィルタ２３ａの一部を加熱する。図示しないモータによって脱臭フィルタ２３ａを回転させながら脱臭フィルタ２３ａを加熱することによって、脱臭フィルタ２３ａの触媒層２３ａｂに吸着されていた臭気成分の分解が促進され、脱臭フィルタ２３ａの脱臭能力が再生される。
【００２３】
加湿ユニット２４は、加湿フィルタ２４ａと水を貯留する貯水タンク２４ｂを有する。加湿フィルタ２４ａは、円板形状に形成されてその一部が貯水タンク２４ｂに溜められた水に浸った状態で回転軸により回転可能に支持されており、図示しないモータにより回転するようになっている。
【００２４】
送風機２５は、ターボファン２５ａとファンモータ２５ｂを有する。ターボファン２５ａは、合成樹脂材で形成されており、ファンモータ２５ｂの出力軸に接続されている。ファンモータ２５ｂは回転数可変であり、ファンモータ２５ｂが回転することでターボファン２５ａも回転し、ターボファン２５ａの回転によって、各空気吸込口１３ａ〜１３ｄから空気清浄機１内部へ空気が流入し、空気清浄機１内部から各空気吹出口を経て空気が流出する。
【００２５】
以上説明した構成を有する空気清浄機が、使用者の指示で（使用者が操作部１５を操作することで）運転を開始すると、送風機２５が駆動するとともに、集塵ユニット２２の第１電気集塵機２２ａおよび第２電気集塵機２２ｂに通電が開始され、加湿ユニット２４の加湿フィルタ２４ａが回転を開始する。送風機２５が駆動すると、上面吸込口１３ａ、右側面吸込口１３ｂ、左側面吸込口１３ｃ、および底面吸込口１３ｄの各空気吸込口１３ａ〜１３ｄから通風路１０の吸入路１０ａに空気が吸い込まれる。
【００２６】
吸入路１０ａに吸い込まれた空気は、１）通風路１０における脱臭ユニット２３の下部と加湿ユニット２４の上部とが前後方向に重なって配置される箇所では、プレフィルタ２１→吸入路１０ａ→集塵ユニット２２→脱臭ユニット２３→加湿ユニット２４の順に、２）通風路１０における脱臭ユニット２３の下部と加湿ユニット２４の上部とが前後方向に重なって配置されていない箇所では、プレフィルタ２１→吸入路１０ａ→集塵ユニット２２→脱臭ユニット２３の順に、または、プレフィルタ２１→吸入路１０ａ→集塵ユニット２２→加湿ユニット２４の順に、それぞれ流れる。このとき、プレフィルタ２１および通電されている集塵ユニット２２で吸い込まれた空気に含まれる塵埃や花粉が除去される。また、脱臭ユニット２３で吸い込まれた空気に含まれる臭気成分が除去されるとともに、加湿ユニット２４で吸い込まれた空気が加湿される。
【００２７】
本実施形態の流路分割板２６は合成樹脂材で形成され、図３乃至図６に示すように、吸入路１０ａにおけるプレフィルタ２１と集塵ユニット２２の間に配置されている。流路分割板２６は、図５および図６に示すように、第１電気集塵機２２ａと第２電気集塵機２２ｂの前面側に配置されており、例えば、本実施形態における流路分割板２６は、縦３７０ｍｍ×横４２０ｍｍ×厚さ２ｍｍの長方形板状とされている。
【００２８】
流路分割板２６には、空気導入孔２６ａが設けられている。図６に示すように、空気導入孔２６ａは、空気清浄機１を前面側から見たときに、第１電気集塵機２２ａの集塵口２２ａａの中央部および第２電気集塵機２２ｂの集塵口２２ｂａの中央部が見えるように、位置および形状が定められており、例えば、本実施形態における空気導入孔２６ａは、縦１６０ｍｍ×横１００ｍｍの長方形状とされている。
【００２９】
吸入路１０ａは流路分割板２６によって第１吸入路１０ａ１と第２吸入路１０ａ２に分割される。第１吸入路１０ａ１は、流路分割板２６と集塵ユニット２２の前面とで形成される。各空気吸込口１３ａ〜１３ｄから第１吸入路１０ａ１に流入した空気は集塵口２２ａａや集塵口２２ｂａの後述する外周部に導かれる。第２吸入路１０ａ２は、流路分割板２６とフロントパネル１３とで形成される。各空気吸込口１３ａ〜１３ｄから第２吸入路１０ａ２に流入した空気は空気導入孔２６ａを介して集塵口２２ａａや集塵口２２ｂａの後述する中央部に導かれる。
【００３０】
通風路１０において除塵・脱臭および加湿が行われた空気は、上面吹出口１４ａ、右側面吹出口１４ｂ、および左側面吹出口１４ｃの各空気吹出口から空気清浄機１が設置された部屋に吹き出される。
【００３１】
次に、図３乃至図７を用いて、流路分割板２６によって形成される第１吸入路１０ａ１および第２吸入路１０ａ２から第１電気集塵機２２ａおよび第２電気集塵機２２ｂへの空気の流れと、流路分割板２６の作用について説明する。
【００３２】
図７は、集塵ユニット２２のうち、第１電気集塵機２２ａを通過する空気の量（以下、風量と記載）を実測した結果である。具体的には、第１電気集塵機２２ａの集塵口２２ａを３列×４行の１２区画に分割し、各々の区画について第１電気集塵機２２ａの背面から空気清浄器１の背面側（リアパネル１４側）に向かって１０ｍｍの距離における風量を測定した結果である。１２の区画は、左上から右下に向かう順に区画ａ、区画ｂ、・・・、区画ｎとされており、各区画に記された数値は、区画ａにおける風量を基準値とした各区画の風量の増減の割合を百分率で表したものである。そして、図７（Ａ）は第１電気集塵機２２ａの前方に流路分割板２６が配置されていない場合の実測結果を示し、図７（Ｂ）は第１電気集塵機２２ａの前方に流路分割板２６が配置されている場合の実測結果を示している。
【００３３】
まず、図７（Ａ）を用いて、第１電気集塵機２２ａの前方に流路分割板２６が配置されていない場合の各区画における風量測定結果を説明する。図７（Ａ）に示すように、区画ａの風量を基準とした集塵口２２ａａの外周部に該当する各区画（区画ａ〜ｄ、ｆ、ｇ、およびｊ〜ｎ）の風量の増減の割合が最大で−７．５％と減少（区画ｆ）しているのに対し、集塵口２２ａａの中央部に該当する区画ｅおよび区画ｈにおける区画ａを基準とした風量の増減の割合がそれぞれ−２７％、−２４％というように大きく減少している。これは、本実施形態の空気清浄機１のように、本体部１１の上面、下面、右側面および左側面の各々の前方に備えられた各空気吸込口１３ａ〜１３ｄから吸入路１０ａに取り込んだ空気を第１電気集塵機２２ａに通過させるものでは、取り込んだ空気が第１電気集塵機２２ａの筐体前面に略平行に流れて集塵口２２ａａに流入するため、各空気吸込口１３ａ〜１３ｄに近い第１電気集塵機２２ａの外周部（区画ａ〜ｄ、ｆ、ｇ、およびｊ〜ｎ）に空気が多く流れて集塵口２２ａａの中央部（区画ｅおよび区画ｈ）を通過する風量が外周部（区画ａ〜ｄ、ｆ、ｇ、およびｊ〜ｎ）を通過する風量と比べて大きく減少することを意味している。
【００３４】
電気集塵機は、塵埃を帯電させる放電電極が上下方向および／または左右方向に延びるように配置され、放電電極の両端が電気集塵機の筐体に固定される構造となっている。この放電電極の固定端におけるイオン発生量は、放電電極の固定端以外の箇所におけるイオン発生量より少ないため、放電電極の固定端で帯電する塵埃量も、放電電極の固定端以外の箇所で帯電する塵埃量よりも少なくなる。従って、電気集塵機の集塵口における外周部に放電電極の固定端が露出するように配置されているとき、集塵口における外周部での集塵電極による塵埃の捕捉率は、集塵口における中央部での集塵電極による塵埃の捕捉率より小さくなる。
【００３５】
本実施形態における第１電気集塵機２２ａも、上記の特性を有するものであるため、塵埃の捕捉率の大きい集塵口２２ａａの中央部を通過する風量が少なく、塵埃の捕捉率の小さい集塵口２２ａａの外周部を通過する風量が多くなれば、第１電気集塵機２２ａの集塵効率が低下する。
【００３６】
本発明は、上述した集塵ユニットとして電気集塵機を採用した場合に生ずる問題を解決するのに効果的である。すなわち、吸入路１０ａに第１電気集塵機２２ａの集塵口２２ａａや第２電気集塵機２２ｂの集塵口２２ｂａから所定寸法（例えば、本実施形態では２．５ｍｍ）を空けて流路分割板２６を配置し、各空気吸込口１３ａ〜１３ｄから吸入路１０ａに流入した空気を集塵口２２ａａの外周部や集塵口２２ｂａの外周部（図７における区画ｅ、ｈ以外の箇所）に導く第１吸入路１０ａ１と、各空気吸込口１３ａ〜１３ｄから吸入路１０ａに流入した空気を集塵口２２ａａの中央部や集塵口２２ｂａの中央部（図７における区画ｅ、ｈ）に導く第２吸入路１０ａ２を形成する。
【００３７】
流路分割板２６を設けて第１吸入路１０ａ１および第２吸入路１０ａ２を形成することによって、図３および図４に示す矢印Ａのように、各空気吸込口１３ａ〜１３ｄから吸入路１０ａに流入した空気が第１吸入路１０ａ１と第２吸入路１０ａ２に分流して、第１電気集塵機２２ａの集塵口２２ａａや第２電気集塵機２２ｂの集塵口２２ｂａに流入する。そして、このときの第１電気集塵機２２ａの集塵口２２ａａの各区画における風量測定結果が図７（Ｂ）である。
【００３８】
図７（Ｂ）に示すように、区画ａの風量を基準とした集塵口２２ａａの中央部に該当する区画ｅおよび区画ｈの風量の増減の割合がそれぞれ３４％、３０％と増加しており、図７（Ａ）に示す流路分割板２６を設けない場合の区画ｅおよび区画ｈにおける風量より大幅に増加している。これは、各空気吸込口１３ａ〜１３ｄから吸入路１０ａに流入した空気が集塵口２２ａａの外周部（区画ａ〜ｄ、ｆ、ｇ、およびｊ〜ｎ）に集中せずに第１吸入路１０ａ１と第２吸入路１０ａ２に分流し、集塵口２２ａａの中央部（区画ｅおよび区画ｈ）に第２吸入路１０ａ２から空気が導かれるためである。
【００３９】
以上説明したように、本実施形態の空気清浄機１では、各空気吸込口１３ａ〜１３ｄから取り込んだ空気を集塵ユニット２２に導く吸入路１０ａに、この吸入路１０ａを集塵ユニット２２の外周部に空気を導く第１吸入路１０ａ１と集塵ユニット２２の中央部に空気を導く第２吸入路１０ａ２に分割する流路分割板２６を設ける。これにより、本体部１１の上面、下面、右側面および左側面の各々の前方に備えられた各空気吸込口１３ａ〜１３ｄから通風路１０に空気を取り込む構造であっても、取り込まれた空気が第１吸入路１０ａ１と第２吸入路１０ａ２に分流して集塵ユニット２２に流れるので、集塵ユニット２２の外周部に空気が集中することを防止でき、集塵ユニット２２全面を有効利用することで集塵ユニット２２の集塵効率が向上する。
【００４０】
尚、以上説明した実施形態では、１つの空気導入孔２６ａを有する流路分割板２６を設ける場合を例に挙げて説明したが、電気集塵機の集塵口の中央部の風量を増加させることができる形状であればよく、例えば、図８（ａ）に示す流路分割板２６０ａのように、２台の電気集塵機の各集塵口に対応するように２個の空気導入孔２６０ａ１を設けてもよく、また、図８（ｂ）に示す流路分割板２６０ｂの空気導入孔２６０ｂ１や図８（ｃ）に示す流路分割板２６０ｃの空気導入孔２６０ｃ１に示すように、集塵口の四隅を空気清浄機の前方から見て覆うような空気導入孔であってもよい。また、図８（ｄ）に示す流路分割板２６０ｄの第１流路分割板２６０ｄ１および第２流路分割板２６０ｄ２や図（ｆ）に示す流路分割板２６０ｅの第１流路分割板２６０ｅ１および第２流路分割板２６０ｅ２のように、流路分割板を電気集塵機の台数（この場合は、２台）に応じて分割し、各々に第１空気導入孔２６０ｄ３、ｅ３および第２空気導入孔２６０ｄ４、ｅ４を設けてもよい。
【００４１】
また、流路分割板は空気導入孔を備えていなくてもよく、流路分割板によって分割された複数の吸入路から電気集塵機の異なる区画に空気を導ける形状とされていればよい。また、以上説明した実施形態では、集塵ユニットとして電気集塵機を用いた場合を例に挙げて説明したが、これに限るものではなく、例えば、糸状のＰＥＴ材を編み込んで塵埃が通過できない程度の大きさの網目構造としてなるもののように、電気力を使用せずに塵埃を捕集するフィルタであってもよい。
【実施例２】
【００４２】
次に、本発明の空気清浄機の第２の実施形態について、図９を用いて説明する。図９（Ａ）に示すように、本発明の第２の実施形態における空気清浄機１００は、各々合成樹脂材で形成された前面パネル１１０ａ、リアパネル１１０ｂ、右側面パネル１１０ｃ、左側面パネル１１０ｄ、天面パネル１１０ｅおよび底部１１０ｆで略直方体状に形成された本体部１１０を有する。この本体部１１０が、第２の実施形態における空気清浄機１００の筐体である。
尚、以降の説明において、必要に応じ本体部１１０の前面パネル１１０ａ側を前面側、本体部１１０のリアパネル１１０ｂ側を背面側、本体部１１０の右側面パネル１１０ｃ側を右側、本体部１１０の左側面パネル１１０ｄ側を左側と称する。
【００４３】
前面パネル１１０ａの左右の周縁部には、本体部１１０の内部に空気を取り込むための空気吸込口１３０が設けられている。この空気吸込口１３０は、図９（Ａ）に示すように、上下方向に延びた縦長のスリット形状であり、後述する集塵ユニット２２０の左右方向の外側に配置されている。尚、第１の実施形態における空気清浄機１では、フロントパネル１３と前面パネル１２との間の上下／左右に形成される４カ所の隙間が４つの空気吸込口（上面吸込口１３ａ、右側面吸込口１３ｂ、左側面吸込口１３ｃ、および底面吸込口１３ｄ）とされていた、つまり、本体部１１の上下／左右の各面における前端側に空気吸込口が配置されており、この点が第１の実施形態における空気清浄機１と第２の実施形態における空気清浄機１００との違いである。
【００４４】
また、図９（Ｂ）に示すように、リアパネル１１０ｂには、本体部１１０の内部から部屋に空気を放出するための空気吹出口１４０が設けられている。そして、２つの空気吸込口１３０と空気吹出口１４０とを連通する本体部１１０内部の空間が、空気清浄機１００における通風路３００である。そして、通風路３００のうち、前面パネル１１０ａと後述する支持部材である仕切板１６０で形成される空間が、２つの空気吸込口１３０から流入した空気を後述する集塵ユニット２２０に導く吸入路３００ａである。尚、以下の説明では、必要に応じて通風路１０における空気吸込口１３０側を上流側、空気吹出口１４０側を下流側として説明する。
【００４５】
図９（Ｂ）に示すように、空気清浄機１００の本体部１１０内部の通風路３００には、上流側から下流側に向かって順に、集塵ユニット２２０、脱臭ユニット２３０、送風機２４０が配置されている。集塵ユニット２２０は、合成樹脂材で箱型に形成された筐体を有し、通風路３００の上流側に配置されている仕切板１６０に取り付けられている。脱臭ユニット２３０および送風機２４０は、本体部１１０の底部１１０ｆにブラケット等で固定されている。そして、吸入路３００ａにおける前面パネル１１０ａと集塵ユニット２２の間には、吸入路３００ａを後述する第１吸入路３００ａ１と第２吸入路３００ａ２に分割する流路分割手段である流路分割板３６０が配置されている。
【００４６】
空気清浄機１００では、各空気吸込口１３０から本体部１１０内部に吸い込んだ空気を、空気吹出口１４０から部屋に吹き出す間に、空気の除塵および脱臭が行われる。尚、上述した集塵ユニット２２０、脱臭ユニット２３０、送風機２４０についての詳細な説明は省略するが、例えば、第１の実施形態で説明した集塵ユニット２２や脱臭ユニット２３や送風機２５のようなものであればよい。また、上記構成に加えて、第１の実施形態の空気清浄機１に備えられていた加湿ユニット２４を、空気清浄機１００に備えていてもよい。
【００４７】
流路分割板３６０は、前述したように吸入路３００ａにおける前面パネル１１０ａと集塵ユニット２２０の間に配置されている。流路分割板３６０は、合成樹脂材で形成され、集塵ユニット２２０の前面側を覆う形状とされている。流路分割板３６０の左右方向の長さ寸法は、左右の空気吸込口１３０の間隔より小さい寸法とされている。流路分割板３６０には、空気導入孔３６０ａが設けられており、空気清浄機１００を前面側から見たときに、集塵ユニット２２０の中央部が見えるように、位置および形状が定められている。
【００４８】
吸入路３００ａは流路分割板３６０によって、流路分割板３６０と仕切板１６０および集塵ユニット２２０の前面とで形成されて空気吸込口１３０から吸入路３００ａに流入した空気を集塵ユニット２２０の外周部に導く第１吸入路３００ａ１と、流路分割板３６０と前面パネル１１０ａとで形成されて空気吸込口１３０から吸入路３００ａに流入した空気を空気導入孔３６０ａを介して集塵ユニット２２０の中央部に導く第２吸入路３００ａ２に分割される。
【００４９】
流路分割板３６０を設けて第１吸入路３００ａ１および第２吸入路３００ａ２を形成することによって、図９（Ｂ）に示す矢印Ｂのように、空気吸込口１３０から吸入路３００ａに流入して集塵ユニット２２０の筐体前面に略平行に流れる空気が、第１吸入路３００ａ１と第２吸入路３００ａ２に分流して集塵ユニット２２０に流入する。このとき、空気吸込口１３０から吸入路３００ａに流入して集塵ユニット２２０の筐体前面に略平行に流れる空気が、集塵ユニット２２０の外周部に集中せずに第１吸入路３００ａ１と第２吸入路３００ａ２に分流して集塵ユニット２２０の中央部にも空気が導かれる。
【００５０】
以上説明したように、第２の実施形態の空気清浄機１００では、前面パネル１１０ａの左右縁部に設けられた空気吸込口１３０から取り込んだ空気を集塵ユニット２２０に導く吸入路３００ａに、この吸入路３００ａを、集塵ユニット２２０の外周部に空気を導く第１吸入路３００ａ１と集塵ユニット２２０の中央部に空気を導く第２吸入路３００ａ２に区画する流路分割板３６０を設ける。これにより、空気吸込口１３０が集塵ユニット２２０の左右方向の外側に配置されて、空気吸込口１３０から取り込んだ空気が集塵ユニット２２０に真っ直ぐに導入されない構造であっても、集塵ユニット２２０の外周部に空気が集中することを防止でき、集塵ユニット２２全面を有効利用することで集塵ユニット２２０の集塵効率が向上する。
【符号の説明】
【００５１】
１  空気清浄機
１０  通風路
１０ａ  吸入路
１０ａ１  第１吸入路
１０ａ２  第２吸入路
１１  本体部
１２  前面パネル
１３  フロントパネル
１３ａ  上面吸込口
１３ｂ  右側面吸込口
１３ｃ  左側面吸込口
１３ｄ  底面吸込口
１６  仕切板
２２  集塵ユニット
２２ａ  第１電気集塵機
２２ａａ  集塵口
２２ｂ  第２電気集塵機
２２ｂａ  集塵口
２５  送風機
２６  流路分割板
２６ａ  空気導入孔
２６０ａ〜ｅ  流路分割板
２６０ｄ１、ｅ１  第１流路分割板
２６０ｄ２、ｅ２  第２流路分割板
２６０ａ１〜２６０ｃ１  空気導入孔
２６０ｄ３、ｅ３  第１空気導入孔
２６０ｄ４、ｅ４  第２空気導入孔
１００  空気清浄機
１１０  本体部
１１０ａ  前面パネル
１３０  空気吸込口
１６０  仕切板
２２０  集塵ユニット
２４０  送風機
３００  通風路
３００ａ  吸入路
３００ａ１  第１吸入路
３００ａ２  第２吸入路
３６０  流路分割板
３６０ａ  空気導入孔
【図１】
2016217666.tif 000003
【図２】
2016217666.tif 000004
【図３】
2016217666.tif 000005
【図４】
2016217666.tif 000006
【図５】
2016217666.tif 000007
【図６】
2016217666.tif 000008
【図７】
2016217666.tif 000009
【図８】
2016217666.tif 000010
【図９】
2016217666.tif 000011